(57)【要約】【課題】可回動な回転椅子において腕を連動して回動しないよう、椅子本体に腕を固定安定化することにより、腕から肩までの距離を保つことによって、両肩の中心にある頚椎の位置を回転運動の中心に維持する事で、簡単で安全な腰往復回転運動をすることを可能にする健康回転椅子を提供する。【解決手段】脚部（１）に一対の腕受け部（２）を固定一体化されるよう装着し、さらにこれらと一体となるよう回転可能な座部（４）を装着する。腕受け部（２）は座部（４）の往復回転運動の際の妨げにならないよう装着される。背受け部（３）は後部への倒れ防止の安全上設ける。以上の構造により、着座時において腕受け部（２）により腕から肩までの距離を保つことによって、両肩の中心にある頚椎の位置を回転運動の中心に維持することになり、自身の頭部を安定させ脊椎を回転運動の中心に保ち、左右バランスよく床からの平面上での安定した捻り運動と腰往復回転運動を提供している。【選択図】図１
2010201131.tif 000002
【特許請求の範囲】
【請求項１】
脚部（１）に一対の腕受け部（２）を固定一体化された本体に回転可能な座部（４）を装着し、着座時における腕受け部（２）により腕から肩までの距離を保つことによって、両肩の中心にある頚椎の位置を腰往復回転運動の中心に維持することを特徴とする健康回転椅子
【発明の詳細な説明】
【技術分野】
【０００１】  本発明は回転椅子に関して腰振り運動を安全簡易に提供するものである。
【背景技術】
【０００２】今までの腰ストレッチや腰痛緩和などによる腰振り運動は、足を床面につけ上半身を左右に振る。または、回転式の板の上に立ちバランスを捕りながら勢いをつけ下半身を左右に振るなど、立ったまま行うものが一般的であった。【０００３】あるいは、床に座ったり、椅子に腰掛けたりして上半身を左右円上に振る腰振り運動をする場合もあるが、いずれの場合も自身の上半身を左右円上に振る反動力に頼るもので、頭など上半身の中心や腰部の回転の軸が大きくブレ安く、回転運動の左右の振り加減が違ったり、上下に大きな振れがでて、効果が得られないばかりか、無理な体勢で行うことにより腰痛など更なる悪化を伴う事があった。
【発明の概要】
【発明が解決しようとする課題】
【０００４】上記従来の技術において腰振り運動は、自身の上半身を左右に反動をつけて振るか、回転盤の上で無理にバランスを捕りながらひねり運動するなど、身体の腰部の回転の軸が安定しない器具及び方法、用途が一般的であった。また、一般的な椅子でこの運動を行おうとするには両肘を高く上げ上半身を左右に振って腰振り運動を行う方法をとらざるを得なかった。【０００５】本発明は、従来の椅子と変わりなく座りながら安全簡易に、これらの欠点を除くため、可回動な回転椅子において腕を連動して回動しないよう、椅子本体に腕を固定安定化することにより、腕から肩までの距離を保つことによって、両肩の中心にある頚椎の位置を回転運動の中心に維持する事で、簡単で安全な腰往復回転運動をすることを可能にする健康回転椅子を提供するものである。
【課題を解決するための手段】
【０００６】従来の問題を解決すべく、脚部（１）に一対の腕受け部（２）を固定一体化されるよう装着し、さらにこれらと一体となる座（５）部分に可回転の座部（４）を装着する。
腕受け部（２）は座部（４）の回転角度の往復回転運動の際の妨げにならないよう装着される。背受け部（３）は後部への倒れ防止の安全上設けるが、可回動な座部（４）に固定した場合、座部（４）と連動するが、この場合肩甲骨より下の位置辺りを上面とし、肩甲骨より上が座部（４）と連動して動かないよう設ける。背受け部（３）が回動な座部（４）に固定せず、脚部（１）腕受け部（２）と固定一体化される場合には、後部への倒れ防止の役割を果たすよう設ける。
【発明の効果】
【０００７】  本発明は上記従来の欠点を改善するために創意されたものである。
腰部のストレッチや腰痛改善などの腰振り運動は腰部を中心に上半身、下半身のいずれかを左右交互に振る事となるが、腰椎から頚椎までの脊椎を捻ることに他ならない。よって本発明は、着座した腰を中心として下半身に往復回転運動を行いその際、腰部から上の上半身の回動や振れを少なくするため、着座に連動しない腕によって、その肩までの距離を保つことによって、両肩の中心にある頚椎の位置を回転運動の中心に維持する作用を付与し、自身の頭部を安定させ脊椎を回転運動の中心に保ち、脊椎を左右バランスよく床からの平面上での捻り運動を可能にし、安全な腰往復運動を行うことを容易に提供している。【０００８】  通常頭が振れると体全体の中心が振れてバランスがくずれやすくなるばかりか、気分が悪くなる事もある。本発明によれば自身の頭部が安定し振れを防ぎ、テレビなどを鑑賞していても、安全簡易に腰往復回転運動を提供する。【０００９】また、座した時に他者に自身の膝や脛を左右に振ってもらうことも容易であり、腰往復回転運動を楽で安全、簡易に行うことが出来る。
さらに、方向を変えて座り降りをしないため、前方方向へ安定して座り降りが出来、年配者にも安全である。
【図面の簡単な説明】
【００１０】
【図１】本発明の実施例１の斜視図である。
【図２】本発明の実施例２の斜視図である
【図３】本発明の実施例３の斜視図である
【発明を実施するための形態】
【００１１】  脚部（１）に一対の腕受け部（２）を固定一体化されるよう装着し、さらにこれらと一体となる座（５）部分に可回転の座部（４）を装着する。
腕受け部（２）に肘をのせる、又はハンドル部（１１）を掴む。以上によって腕が固定され上半身が安定する。次に可回転の座部（４）の中心に自身の尾骨、または脊椎の中心が来るように腰掛け、肘は出来るだけ動かさないように腕左右個々反対方向へ前後の力を加えると、自身の腰部を中心に下半身が左右に実になめらかに振られる。以上により、上半身の安定した状態が得られ腰部を中心に平面でスムーズな往復腰回転運動が得られる。尚、背受け部（３）は後部への倒れ防止の安全上設けるのが望ましい。
【００１２】以下実施例によって形態の説明をする。
【実施例１】
【００１３】  図１を参照して本発明の機能と構造の実施例を説明する。
脚部（１）及び背受け部（３）に一対の腕受け部（２）を一体化するよう固定装着し、さらにこれらと一体となる座（５）部分に可回転の座部（４）を装着する。この場合、座部（４）の座面から腕受け部（２）の下面、及び脚部（１）、背受け部（３）との結合部分である腕受け部支え（６）などが座った状態で回転運動中大腿部が当たらないように設ける。【００１４】具体的には、座部（４）の座面から腕受け部（２）の下面が２０センチ以上、背受け部（３）と平行した座部（４）の中心を通る平行線より後ろに、腕受け部（２）の支えがあることが望ましいが、自身の脚が当たる時点で回転運動を抑制する効果もあり、個人の用途体型により適宜設定することも考えられる。また、脚部（１）と床の接点には滑り止め（１４）を装着する事が望ましい。
【実施例２】
【００１５】  図２を参照して本発明の機能と構造の実施例を説明する。
脚部（１）に一対の腕受け部（２）を一体化するよう腕受け部支え（６）を用い固定装着し、さらにこれらと一体となる座（５）部分に背受け部（３）を装着した可回転の座部（４）を装着する。この場合、座部（４）の座上面から腕受け部（２）の下面、及び脚部（１）、背受け部（３）との結合部分である腕受け部支え（６）が座った状態で回転運動中大腿部が当たらないように設ける。さらに、可回動に座部（４）に装着された背受け部（３）は回転運動をした場合、腕受け部（２）及び腕受け部支え（６）と有用な回転運動を妨げない位置に設ける必要がある。また、肩甲骨が動くと肩の位置も動きやすいので、背受け部（３）の高さは肩甲骨より下の位置辺りとし、肩甲骨より上が座部（４）と連動して動かないよう設ける。【００１６】具体的には、座部（４）の座上面から腕受け部（２）の下面が２０センチ以上、腕受け部（２）もしくは腕受け部支え（６）と背受け部（３）が当たるまでが回転可能範囲となるので、腕受け部（２）の下面は背受け部（３）の上面より上にあることが望ましく、座部（４）の中心から背受け部（３）の外面までの距離が、座部（４）の中心から腕受け部支え（６）の内面までの距離より短いことが望ましい。具体的には、座上面から２０センチ以下が望ましい。
しかし、背受け部（３）が当たる時点で回転運動を抑制する効果もあり、個人の用途体型により適宜設定することも考えられる。
また、脚部（１）と床の接点には滑り止め（１４）を装着する事が望ましい。
【実施例３】
【００１７】図３を参照して本発明の機能と構造の実施例を説明する。
座面（７）に支軸を有する座受け金具（８）を装着した座部（４）を、脚部（１）に固定された座支柱（９）に装着し可回動とする。ハンドル部（１１）をハンドル支柱（１２）により脚部（１）または、座支柱（９）に固定装着する。この場合ハンドル支柱（１２）が下半身を回した時に自身の脚が当たらない位置にハンドル支柱（１２）を設ける。また必要に応じて補強具（１３）にてハンドル支柱（１２）と背受け部（３）脚部（１）の固定一体化の安定を施す。【００１８】具体的には、ハンドル支柱（１２）が座部（４）の中心より５０センチ以上離れていることが望ましいが、往復回転運動の回転範囲を限定する場合には、座部（４）に近い位置に設定する事もできる。即ち自身の脚が当たる以上は回転運動を抑制するからである。個人の用途体型により適宜設定することが考えられる。尚、背受け部（３）は後部への倒れ防止の安全上設けるのが望ましが、背受け支柱（１０）などにより脚部（１）または、座支柱（９）に固定装着されるが、高さは肩甲骨より下の位置辺りとし、肩甲骨より上が座部（４）と連動して動かないよう設ける。または、背受け部（３）を可回動な座部（４）へ固定装着し連動するようにした場合は、可動範囲を考慮し腰往復運動の妨げにならない位置にハンドル支柱（１２）を装着しなければならない。尚、脚部（１）と床の接点には滑り止め（１４）を装着する事が望ましい。【００１９】本発明は上記実施例１〜３における構造、材料、など適宜組み合わせて実施することが出来る。また、本発明の目的の範囲を逸脱しない限りにおいては適宜変更して実施することが可能である。
【符号の説明】
【００２０】脚部（１）
腕受け部（２）
背受け部（３）
座部（４）
座（５）
腕受け部支え（６）
座面（７）
座受け金具（８）
座支柱（９）
背受け支柱（１０）
ハンドル部（１１）
ハンドル支柱（１２）
補強具（１３）
滑り止め（１４）
【図１】
2010201131.tif 000003
【図２】
2010201131.tif 000004
【図３】
2010201131.tif 000005